(57)【要約】【課題】釣り硬貨の重さ又は容積を抑えやすくできる電子機器、電子秤装置およびプログラムを提供することである。【解決手段】実施形態の電子機器は、客からの預り額より客へ渡す釣りの方が当該金額に含まれる硬貨の総重量および総容積のうち少なくともいずれか一方が小さくなる預り額を、各金種の硬貨重量または硬貨サイズに基づいて選択し、客に推奨する推奨支払額として表示器に表示する表示制御手段を備えた。【選択図】図６
2015219776.tif 000002
【特許請求の範囲】
【請求項１】
客からの預り額より客へ渡す釣りの方が当該金額に含まれる硬貨の総重量および総容積のうち少なくともいずれか一方が小さくなる預り額を、各金種の硬貨重量または硬貨サイズに基づいて選択し、客に推奨する推奨支払額として表示器に表示する表示制御手段を備えた電子機器。
【請求項２】
前記表示制御手段は、前記推奨支払額に、当該推奨支払額によれば預り額より釣りの方が硬貨の総重量および総容積のうち少なくともいずれか一方が小さくなる旨を示す情報を添えて表示する、請求項１に記載の電子機器。
【請求項３】
複数の支払予想額に対する釣り予想額をそれぞれ算出し、金種ごとの硬貨重量または硬貨サイズに基づいて、当該釣り予想額の総重量および総容積を算出し、当該総重量および総容積のうち少なくともいずれか一方が他より小さい釣り予想額を選択し、当該釣り予想額に対応する支払予想額を、前記推奨支払額として出力する支払額出力手段を備え、
前記表示制御手段は、前記推奨支払額とともにその他の前記複数の支払予想額を表示し、前記推奨支払額によれば預り額より釣りの方が硬貨の総重量および総容積のうち少なくともいずれか一方が小さくなる旨を示す情報を添えて表示する、
請求項２に記載の電子機器。
【請求項４】
前記推奨支払額と、当該推奨支払額に対応する釣り予想額の組み合わせとともに、前記推奨支払額以外の支払予想額と、当該支払予想額に対する釣り予想額との組み合わせを印字し、前記推奨支払額については、預り額より釣銭の方が硬貨の総重量および総容積のうち少なくともいずれか一方が小さくなる旨を示す情報を付して印字する印字制御手段、
を備えた請求項１ないし３のいずれか１つに記載の電子機器。
【請求項５】
請求項１ないし３のいずれか１つに記載の表示制御手段と、
商品の重量を計量して計量データを出力する計量手段と、
前記計量手段が出力した前記計量データと、商品の単位重量当たりの単価が設定された記憶手段とに基づいて、前記商品の価格を算出する価格算出手段と、
商品に関する情報と、前記価格算出手段が算出した前記価格と、前記推奨支払額とを含む印字データをプリンタに出力する印字制御手段と、
を備えた電子秤装置。
【請求項６】
電子機器を制御するコンピュータを、
客からの預り額より客へ渡す釣りの方が当該金額に含まれる硬貨の総重量および総容積のうち少なくともいずれか一方が小さくなる預り額を、各金種の硬貨重量または硬貨サイズに基づいて選択し、客に推奨する推奨支払額として表示器に表示する表示制御手段、として機能させるためのプログラム。
【発明の詳細な説明】
【技術分野】
【０００１】
本発明の実施形態は、電子機器、電子秤装置およびプログラムに関する。
【背景技術】
【０００２】
スーパーマーケットや食料品店等の店舗では、商品の会計処理を行う電子機器として、ＰＯＳ（Point  Of  Sales）端末や電子秤装置等が用いられている。これらの電子機器は、商品代金と客からの預り額とにより釣銭額を計算し表示する。従来、ＰＯＳ端末に関して、客が支払う金額の硬貨枚数よりも、釣銭の硬貨枚数が少なくなるような支払金額を表示器に表示する技術が開示されている。このようなＰＯＳ端末によれば、客は支払後に財布内の硬貨枚数を減らしやすくできる。
【０００３】
ところで、硬貨の重さおよび体積は金種によって異なるため、釣り硬貨が同枚数であってもその金種が異なれば、釣銭受け取り後の財布の重さやかさばり方は異なるものである。
【発明の概要】
【発明が解決しようとする課題】
【０００４】
本発明が解決しようとする課題は、釣り硬貨の重さ又は容積を抑えやすくできる電子機器、電子秤装置およびプログラムを提供することである。
【課題を解決するための手段】
【０００５】
実施形態の電子機器は、客からの預り額より客へ渡す釣りの方が当該金額に含まれる硬貨の総重量および総容積のうち少なくともいずれか一方が小さくなる預り額を、各金種の硬貨重量または硬貨サイズに基づいて選択し、客に推奨する推奨支払額として表示器に表示する表示制御手段を備えた。
【図面の簡単な説明】
【０００６】
【図１】図１は、本実施形態にかかる電子秤装置の外観斜視図である。
【図２】図２は、電子秤装置において各部の電気的接続を示すブロック図である。
【図３】図３は、ＰＬＵファイルのデータ構成例を示す図である。
【図４】図４は、ＣＰＵの機能構成を示す機能ブロック図である。
【図５】図５は、会計画面の構成例を示す図である。
【図６】図６は、会計画面のその他の構成例を示す図である。
【図７】図７は、レシートの印字構成例を示す図である。
【図８】図８は、電子秤装置が実行する売上処理の手順例を示すフローチャートである。
【発明を実施するための形態】
【０００７】
図１は、本実施形態にかかる電子秤装置１の外観斜視図である。図１に示すように、この電子秤装置１は、扁平筐体状のハウジング２の上面全体に重量が測定される商品が載置される載置面である秤部３を有し、オペレータ側の正面左側に座標入力部であるタッチパネル４を備えた表示部であるディスプレイ５（タッチパネル付き表示装置）を有している。
【０００８】
ディスプレイ５は、薄型のＬＣＤ（Liquid  Crystal  Display）や有機ＥＬ（Electro-Luminescence）を表示部５ａとして構成されている。また、ディスプレイ５には、後述するラベル発行キー（図示せず）などが配設されたキーボード６も設けられている。なお、ハウジング２の内部であって秤部３の下方位置には、ロードセルユニット１６（図２参照）が設けられている。ロードセルユニット１６は、商品の重量を計量して計量値データを出力する計量部として機能する。
【０００９】
一方、電子秤装置１には、図１に示すように、オペレータ側と同様に客側にもタッチパネル８を備えた表示部であるディスプレイ９（タッチパネル付き表示装置）が設けられている。ディスプレイ９も、薄型のＬＣＤや有機ＥＬを表示部９ａとして構成されている。したがって、計量部として機能するロードセルユニット１６を挟んだ装置両側にタッチパネル４を備えたディスプレイ５と、タッチパネル８を備えたディスプレイ９が設けられていることになる。
【００１０】
また、ディスプレイ５およびディスプレイ９は、ハウジング２に対して上端部を軸として上下方向に傾け可能（チルト可能）に設けられている。
【００１１】
加えて、電子秤装置１は、２台のプリンタ３０、３１を側方に備えている。２台のプリンタ３０、３１は、図１に示すように、電子秤装置１の左右両側に備えられていても良いし、電子秤装置１の一方の側に並べて備えられていても良い。
【００１２】
プリンタ３０、３１は、ラベルやレシートを発行するための発行口３０ａ、３１ａをハウジング３０ｂ、３１ｂの正面に有する。
【００１３】
プリンタ３０、３１は、用紙を搬送する搬送機構や、搬送機構による搬送過程で用紙に対して印字を行う印字機構、用紙を切断する切断装置等を備えている。搬送機構は、本実施形態では、パルスモータ（図示せず）によって回転駆動したプラテンローラによって用紙を搬送する構成である。印字機構は、本実施形態ではサーマルヘッド（図示せず）によって印字を行う構成である。
【００１４】
プリンタ３０は、印字媒体として長尺状のレシート用紙が適用されたレシートプリンタであって、レシート用紙に対して印字動作を行った後、レシートを発行口３０ａから発行する。
【００１５】
また、プリンタ３１は、印字媒体として用紙長尺状の台紙に感熱性の複数のラベルが一列状に配置されたラベル用紙が適用されたラベルプリンタであって、ラベル用紙に対して印字動作を行った後、ラベルを発行口３１ａから発行する。
【００１６】
次に、電子秤装置１に内蔵される各部の電気的接続について図２を参照して説明する。図２は、電子秤装置１において各部の電気的接続を示すブロック図である。図２に示すように、電子秤装置１には、各種演算処理等を実行して各部を集中的に制御するＣＰＵ（Central  Processing  Unit）１０が設けられている。このＣＰＵ１０には、固定データを格納するＦｌａｓｈＲＯＭ（Read  Only  Memory）１１と、可変データを書換え自在に格納してワークエリア等として利用されるＲＡＭ（Random  Access  Memory）１２とがシステムバス１３を介して接続されている。ＦｌａｓｈＲＯＭ１１には、制御プログラム、所定のラベルフォーマットや後述する各種のファイルが格納されている。
【００１７】
なお、電子秤装置１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００１８】
また、電子秤装置１で実行される制御プログラムを、インターネット等のネットワークに接続されたコンピュータ上に格納し、ネットワーク経由でダウンロードさせることにより提供するように構成しても良い。また、電子秤装置１で実行される制御プログラムをインターネット等のネットワーク経由で提供または配布するように構成しても良い。
【００１９】
また、ＣＰＵ１０には、システムバス１３を介してＩ／Ｏポート１４が接続され、このＩ／Ｏポート１４にはＡ／Ｄ変換部１５を介してロードセルユニット１６が接続されている。このロードセルユニット１６は、ロードセル等によって構成され、秤部３に載置された商品の重量を計量して計量値データを出力する構造のものである。このようなロードセルユニット１６からの出力はアナログ出力であり、このアナログ出力はＡ／Ｄ変換部１５でデジタルデータに変換されてＩ／Ｏポート１４に入力される。そこで、ＣＰＵ１０は、Ｉ／Ｏポート１４に入力されたロードセルユニット１６からの出力データに基づいて、ＦｌａｓｈＲＯＭ１１に格納された制御プログラムやファイル等を参照し、ＲＡＭ１２をワークエリアとして使用して、秤部３に載置された商品の重量を演算によって求めることができる。
【００２０】
加えて、ＣＰＵ１０には、キーボード６を駆動制御するためのキーボードコントローラ１８、ディスプレイ５を駆動制御するディスプレイコントローラ１９、ディスプレイ９を駆動制御するディスプレイコントローラ２０、タッチパネル４を駆動制御するタッチパネルコントローラ２１、及び、タッチパネル８を駆動制御するタッチパネルコントローラ２２もシステムバス１３を介して接続されている。
【００２１】
また、ＣＰＵ１０には、レシートプリンタであるプリンタ３０を駆動制御するためのプリンタコントローラ３２、及び、ラベルプリンタであるプリンタ３１を駆動制御するためのプリンタコントローラ３３もシステムバス１３を介して接続されている。
【００２２】
ＣＰＵ１０は、ＲＡＭ１２として設けられた画像メモリを利用しつつ、ＦｌａｓｈＲＯＭ１１に記憶されていたり画像メモリで合成されたりするイメージ画像データに基づいてディスプレイコントローラ１９、２０を駆動制御する。これにより、ディスプレイ５、９がマトリクス状に備える多数個の液晶シャッタが選択的に開閉駆動され、ディスプレイ５、９にイメージ画像データに基づく画像が表示出力されることになる。
【００２３】
さらに、ＣＰＵ１０は、タッチパネルコントローラ２１、２２を駆動制御し、操作者によりタッチされたタッチパネル４、８上のＸＹ座標の位置を認識して座標データを取得する。これにより、ディスプレイ５、９に表示されるボタン等とタッチパネル４、８の座標との位置関係の同期をとることによって、タッチパネル４とディスプレイ５との組合せ、及び、タッチパネル８とディスプレイ９との組合せは、キーボードと同様の機能を奏することになる。
【００２４】
次に、ＦｌａｓｈＲＯＭ１１に格納されている各種のファイルについて説明する。ＦｌａｓｈＲＯＭ１１は、記憶部として機能して各種のファイルを書換え自在かつ記憶保持可能な状態で格納する。このようなＦｌａｓｈＲＯＭ１１に格納されるファイルの一部として、本実施の形態では、ＰＬＵファイル１１０を備える。
【００２５】
図３は、ＰＬＵ（Price  Look  Up）ファイルのデータ構成例を示す図である。図３に示すように、ＰＬＵファイル１１０には、商品の品番１１１、商品コード１１２、品名１１３、単価１１４、オペレータ側のディスプレイ５に表示されるＰＬＵキー（図示せず）を割り当てるためのキー割当番号１１５、及び、客側のディスプレイ９に表示されるＰＬＵキー（図示せず）を割り当てるためのキー割当番号１１６、付加情報１１７などが対応付けて格納される。付加情報１１７としては、例えば、加工日時や消費期限、産地、原材料名等の情報が格納される。
【００２６】
つまり、ＰＬＵファイル１１０は、少なくとも、商品を特定するための商品特定データとして機能する品番１１１とその商品の単位重量当たりの単価１１４とを対応付けて記憶するファイル構造を備えている。ここで、本実施形態では、単位重量は、例えば１００グラムが採用されている。
【００２７】
次いで、ＦｌａｓｈＲＯＭ１１に記憶された制御プログラムに従いＣＰＵ１０が実行する処理について説明する。なお、本実施の形態においては、従来の電子秤装置によって行なわれる処理と同様の処理についてはその説明を省略する。ここでは、売上処理について説明する。
【００２８】
図４は、ＣＰＵ１０の機能構成を示す機能ブロック図である。図４に示すように、電子秤装置１で実行される制御プログラムは、入力受付部５１と、価格算出部５２と、支払額出力部５３と、表示制御部５４と、印字制御部５５とを含むモジュール構成となっている。ＣＰＵ１０は、ＦｌａｓｈＲＯＭ１１から制御プログラムを読み出して、上記各部をＲＡＭ１２にロードする。これにより、入力受付部５１と、価格算出部５２と、支払額出力部５３と、表示制御部５４と、印字制御部５５とがＲＡＭ１２上に生成される。
【００２９】
入力受付部５１は、タッチパネル４、８、キーボード６等の入力インタフェースからの入力操作を受付ける。
【００３０】
価格算出部５２は、タッチパネル４から入力された品番１１１に対応する単価をＰＬＵファイル１１０から読み込む。そして、当該単価と、ロードセルユニット１６が出力した計量値とから、計量値分の商品価格を算出する。
【００３１】
支払額出力部５３は、客からの預り額より客へ渡す釣りの方が当該金額に含まれる硬貨の総重量および総容積のうち少なくともいずれか一方が小さくなる預り額を選択する。また、支払額出力部５３は、各金種の硬貨重量または硬貨サイズに基づいて上記預り額を選択する。そして、支払額出力部５３は、選択した預り額を、客に推奨する推奨支払額として出力する。
【００３２】
すなわち、支払額出力部５３は、通常客が行い易い支払額についていくつかのパターンを選択し、その支払予想額を客から預かった場合の釣り予想額を算出する。具体的には、客の支払予想額（客からの預り予想額）から、価格算出部５２が算出した商品価格を減ずることにより、釣り予想額を算出する。
【００３３】
そして、支払額出力部５３は、金種ごとの硬貨重量または硬貨サイズに基づいて、含まれる釣銭（釣り硬貨）の重量または容積ができる限り小さくなるような釣り予想額を選択する。ここで、硬貨サイズとは、容積、あるいは、外径、厚みなどの値である。支払額出力部５３は、これら値に基づいて、各支払パターンごとの釣り予想額に含まれる釣銭の総重量および総容積を算出する。そして、含まれる釣銭について、より重量が軽い場合、あるいは、より容積が小さい場合の釣り予想額を、推奨釣り額として少なくとも１つ選択する。また、推奨釣り額となる場合の支払予想額を、推奨支払額（おすすめ支払額）とする。
【００３４】
なお、推奨支払額、推奨釣り額は、１つだけ選択されてもよいし、複数選択されてもよい。複数選択される場合には、釣銭の総重量が軽い順、または、総容積が小さい順に、優先順位をつけて推奨釣り額が選択されるとよい。
【００３５】
重量、容積については、いずれか一方に基づいて推奨釣り額を選択してもよいし、双方に基づいて選択してもよい。また、重量、容積のうちどちらに重きを置いて推奨釣り額を選択するかを、設定により可変としてもよい。
【００３６】
なお、釣り予想額、推奨釣り額は、紙幣での支払分を含めた額であってもよいことは言うまでもない。本実施形態では、釣り予想額に含まれる硬貨（釣銭、釣り硬貨）について、その重量または容積ができる限り小さくなるようにすることを目的とするからである。
【００３７】
また、支払額出力部５３は、推奨支払額と、推奨釣り額とを対応付けて、表示制御部５４および印字制御部５５に出力する。なお、出力先はこれに限定されず、他の装置などに出力してもよい。
【００３８】
表示制御部５４は、ディスプレイコントローラ１９、２０を介して、ディスプレイ５、９における表示処理を制御する。すなわち、表示制御部５４は、価格算出部５２が算出した商品価格、入力受付部５１が受付けた預り額（支払額）、価格算出部５２が算出した支払残高、支払額出力部５３が出力した推奨支払額を含めて、会計画面の表示データを生成する。そして表示制御部５４は、生成した表示データをディスプレイコントローラ１９またはディスプレイコントローラ２０に出力する。店員側のディスプレイ５、客側のディスプレイ９は、ディスプレイコントローラ１９、２０に入力された表示データに基づいて会計画面を表示する。
【００３９】
図５は、会計画面の構成例を示す図である。図５では、合計金額、客からの預り額、残高、推奨支払額（オススメ支払額）を表示した画面例を示している。なお、画面構成例はこれに限定されない。表示制御部５４は、ＰＬＵファイル１１０から読み出した商品に関する情報や、入力受付部５１が受付けた情報などにより、その他の情報を会計画面に表示してもよい。たとえば、会計画面に、品番１１１、商品名、単価、計量値、計量値分の商品価格等の取引データを表示してもよい。
【００４０】
図６は、会計画面のその他の構成例を示す図である。図６に示すように、複数の推奨支払額提示エリア９１、９２を設けて、複数の推奨支払額を提示してもよい。また、図６に示すように、推奨支払額に推奨釣り額を添えて表示してもよい。
【００４１】
さらに、支払額出力部５３がその推奨支払額を選択した選択基準を、マークやシンボルなどにより表示してもよい。図６では、推奨支払額提示エリア９２に対して、釣銭の総重量がより軽い旨を示すマーク４１が付された例を示している。
【００４２】
図５のように、推奨支払額を１つだけ表示すれば、その額が見易くなり、推奨支払方法へとスムーズに誘導し易い。一方、図６のように、複数の推奨支払方法を表示すると、客は財布の中の小銭を確認しながら、支払い可能な推奨支払額を選択できる。また、支払後の財布が軽い方がよい、あるいは、嵩張らない方がよい、といった個人の好みあるいはその場における財布の中身に応じて支払額を選択しやすくなる。このように、図５と図６に例示した画面構成例はそのいずれにも利点があるから、設定により推奨支払額を１つだけ表示とするか、複数表示するかを切り替えられるよう構成してもよい。
【００４３】
また、図面では図６において上述のマーク４１を付した例を示したが、図５のように推奨支払額を１つだけ表示する場合にも、マーク４１などを付して推奨理由を示してもよい。このように、表示制御部５４は、推奨支払額に、当該推奨支払額によれば預り額より釣銭の方が硬貨の総重量および総容積の少なくともいずれか一方が小さくなる旨を示す情報を添えて表示する。
【００４４】
印字制御部５５は、プリンタコントローラ３２、３３を介して、プリンタ３０、３１の印字処理を制御する。すなわち、印字制御部５５は、品番１１１、商品名、単価、計量値、計量値分の商品価格等の取引データに基づき、レシート用あるいはラベル用の印字データを生成する。また、印字制御部５５は、入力受付部５１が受付けた預り額（支払額）、支払額出力部５３が出力した推奨支払額、推奨釣り額を含めて印字データを生成する。そして、印字制御部５５は、生成した印字データをプリンタコントローラ３２、３３に出力する。プリンタ３０、３１はプリンタコントローラ３２、３３に入力された印字データに基づいてレシート（図７参照）やラベルを印字発行する。
【００４５】
図７は、レシートの印字構成例を示す図である。図７に示すように、レシート７０には、品番１１１、商品名、単価、計量値、計量値分の商品価格が印字される。また、合計点数、合計金額の下部には、客から預かった預り額、客への釣銭額とともに、推奨支払額７１（「おすすめ支払額」）が印字される。
【００４６】
さらに、レシート７０には、推奨支払方法に関する情報をまとめて印字するエリア３５を設けてもよい。なお、エリア３５を印字するか否かを設定により選択可能としてもよい。図７では、レシート下部に当該エリア３５を設けて、釣銭比較情報７２、客へのメッセージ２６、推奨支払方法について説明するメッセージ２７を含めた例を示す。なお、当該エリア３５にコードシンボルを印字し、メッセージ２６、２７や、推奨支払に関連する情報を掲載したＷｅｂページのリンク等を含めてもよい。
【００４７】
なお、メッセージ２７に関して、印字制御部５５は、釣り予想額の総重量および総容積のいずれにより重きを置いたかに基づいて、重きを置いた選択基準を示すメッセージを選択して印字データに含めるとよい。
【００４８】
釣銭比較情報７２には、最も推奨したい推奨支払額２３、次に推奨したい推奨支払額２４、その他の支払額２５…が推奨順に記される。そして、各支払予想額にはその支払予想額に対する釣り予想額が並べて印字される。その他の支払予想額としては、紙幣１枚のみでの支払など、客が行いがちである支払パターンを示すとよい。
【００４９】
推奨支払額２３、２４には、推奨支払である理由、すなわち、上述した推奨支払額の選択基準を添えて表示するとよい。図７の例では、推奨支払額２３に対して、客からの預り額より釣銭の方が硬貨の総重量が軽くなることを示すマーク４１が付されている。また、推奨支払額２３、２４のそれぞれに対して、客からの預り額より釣銭の方が硬貨の総容積が小さくなることを示すマーク４２が付されている。
【００５０】
このように推奨支払方法に関する情報をレシートに印字することにより、客は取引後に推奨支払方法について確認することができる。店員と金銭の授受を行う傍らでは、釣銭の重量や容積について瞬時に考え、判断することは難しい。したがって、レシートにそれら情報を提示することで、次回以降の取引における支払方法についても、意識を高めやすくなる。また、より利便性の高い（すなわち、釣銭の方が軽くなる、あるいはコンパクトになる）支払方法を示すことで、常々行いがちな支払パターンを改善しやすくなる。
【００５１】
次に、電子秤装置１が実行する売上処理の手順について説明する。図８は、電子秤装置１が実行する売上処理の手順例を示すフローチャートである。
【００５２】
まず、入力受付部５１は、商品の品番の入力を待つ（ステップＳ１）。価格算出部５２は、キーボード６やタッチパネル４への操作により品番が入力された場合（ステップＳ１のＹｅｓ）、その商品の品名１１３、単価１１４、付加情報１１７（加工日時、消費期限、産地、原材料名等）などの商品情報を、ＰＬＵファイル１１０からＲＡＭ１２に読み込む（ステップＳ２）。また、印字制御部５５は、所定のラベルフォーマットをＦｌａｓｈＲＯＭ１１からＲＡＭ１２に読み込む（ステップＳ３）。
【００５３】
次に、表示制御部５４は、ディスプレイ５に計量用の表示画面（図示せず）を表示させる。オペレータは、秤部３に商品を載置する。
【００５４】
価格算出部５２は、秤部３から出力される計量値が安定したか否か判定する（ステップＳ４）。安定しない間（ステップＳ４：Ｎｏ）は、計量値の安定を待つ（ステップＳ４）。計量値が安定すると（ステップＳ４：Ｙｅｓ）、価格算出部５２は当該計量値と、ＰＬＵファイル１１０とに基づいて商品価格を算出する（ステップＳ５）。表示制御部５４は、基準重量あたりの商品単価、計量値および商品価格を含む会計画面（図５または図６参照）をディスプレイ５、９に表示する。また、表示制御部５４は、当該会計画面に、推奨支払額を表示する（ステップＳ６）。
【００５５】
入力受付部５１は、タッチパネル４への入力に基づき、客からの預り額（支払金額）の入力を受付ける。印字制御部５５は、タッチパネル４から入力された預り額に応じて、レシート用の印字データを生成する（ステップＳ７〜Ｓ１２）。
【００５６】
まず、タッチパネル４から入力された預り額は商品合計金額と同額であり、釣銭の支払が無い場合（ステップＳ７：Ｙｅｓ）はステップＳ１０に移行する。印字制御部５５は、釣銭額がゼロと記されたレシート用の印字データを生成し、当該印字データをプリンタ３０に出力してレシートを印字発行する（ステップＳ１０）。釣銭の支払があれば（ステップＳ７：Ｎｏ）ステップＳ８に移行する。
【００５７】
預り額が推奨支払額であれば（ステップＳ８：Ｙｅｓ）、ステップＳ１１に移行し、推奨支払額でなければ（ステップＳ８：Ｎｏ）ステップＳ９に移行する。印字制御部５５は、レシート用の印字データをプリンタ３０に出力してレシートを印字発行する（ステップＳ１１）。推奨支払額である場合に発行するレシートとしては、図７に示したように、推奨支払額７１、釣銭比較情報７２、メッセージ２６、推奨支払方法について説明するメッセージ２７等を含めるとよい。なお、メッセージ２６には、推奨支払方法への協力に謝意を示すメッセージを印字するとよい。
【００５８】
一方、タッチパネル４において、推奨支払額ではない預り額が入力されると（ステップＳ９：Ｙｅｓ）、ステップＳ１２に移行する。預り額の入力を受付けなければ（ステップＳ９：Ｎｏ）ステップＳ７に戻る。印字制御部５５は、推奨支払方法ではない場合のレシートを発行する（ステップＳ１２）。
【００５９】
推奨支払方法でない場合のレシートの好ましい印字例について、図７を参照して説明する。この場合のレシートにおいても、推奨支払方法による支払である場合と同様に、推奨支払額７１、釣銭比較情報７２、メッセージ２６、推奨支払方法について説明するメッセージ２７等を含めるとよい。なお、メッセージ２６としては、「おすすめ支払をご活用ください」（不図示）などの推奨メッセージを印字するとよい。
【００６０】
次に、印字制御部５５は、ラベル用の印字データを生成し、当該印字データをプリンタ３１に出力してラベルを印字発行する（ステップＳ１３）。すなわち、印字制御部５５は、ステップＳ３でＲＡＭ１２に読み込んだラベルフォーマットに、ステップＳ２でＲＡＭ１２に読み出した商品情報（品名１１３や単価１１４など）や付加情報１１７（加工日時、消費期限、産地、原材料名等）を適用して、ラベル用の印字データを生成する。そして、印字制御部５５は、当該印字データをプリンタ３１に出力してラベルを印字発行する。
【００６１】
以上のように、電子秤装置１は、各金種の硬貨重量または硬貨サイズに基づいて、客からの預り額より客へ渡す釣りの方が当該金額に含まれる硬貨の総重量および総容積のうち少なくともいずれか一方が小さくなる預り額を選択し、推奨支払額として表示器に表示する。従って、釣銭が同じ枚数であっても、会計後の財布がより軽くなるような、あるいは、よりかさばらないような支払方法を提示することができる。このように、本実施形態によれば、釣り硬貨の重さ又は容積を抑えやすくすることができる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…電子秤装置、５、９…ディスプレイ、２３、２４、７１…推奨支払額、２５…その他の支払額、２６、２７…メッセージ、３０、３１…プリンタ、３５…エリア、４１、４２…マーク、５１…入力受付部、５２…価格算出部、５３…支払額出力部、５４…表示制御部、５５…印字制御部、７０…レシート、９１、９２…推奨支払額提示エリア。
【先行技術文献】
【特許文献】
【００６４】
【特許文献１】特開２００８−１２３１２３号公報
【図１】
2015219776.tif 000003
【図２】
2015219776.tif 000004
【図３】
2015219776.tif 000005
【図４】
2015219776.tif 000006
【図５】
2015219776.tif 000007
【図６】
2015219776.tif 000008
【図７】
2015219776.tif 000009
【図８】
2015219776.tif 000010